(57)【要約】【課題】  扇子の長さを伸縮できるようにして携帯に便利とした。【解決手段】  中骨４を進退自在に収納する収納部３を設けた扇面部材１と、該扇面部材の両側に取り付けられる親骨本体２ａと親骨把持部２ｂとからなり親骨本体に対し親骨把持部が進退し伸縮できる親骨２と、前記両側の親骨の間に介在し前記扇面部材に設けた収納部に遊嵌される中骨とから構成され、前記親骨と前記中骨の基端部を枢着し、扇子を使用するときは、親骨把持部を親骨本体から引き出し親骨を長くし同時に収納部から中骨を引き出して扇子を伸ばし、使用しない場合は、親骨本体内に親骨把持部を進入させ親骨を短かくし同時に中骨を収納部の奥深くに進入させて扇子の長さを短縮できるようにした。【選択図】        図１
0003122371.tif 000002
【実用新案登録請求の範囲】
【請求項１】
中骨を進退自在に収納する収納部を設けた扇面部材と、該扇面部材の両側に取り付けられる伸縮できる親骨と、両側の親骨の間に介在し前記扇面部材に設けた収納部に遊嵌される中骨とからなり、前記親骨と前記中骨の基端部を枢着したことを特徴とする伸縮可能な扇子。
【請求項２】
前記扇面部材が、前面側扇面部材と背面側扇面部材とからなり、両者に設けられる山形折り目と谷形折り目の間のひだ部に、下端が開口した細長い中空部を形成して前面側扇面部材と背面側扇面部材を貼着し、両者の間に、前記中骨を進退自在に収納する収納部を設けた請求項１記載の伸縮可能な扇子。
【請求項３】
前記伸縮できる親骨が、上部の親骨本体と、下部の親骨把持部とからなり、前記親骨本体に摺動溝が穿設され、前記親骨把持部が前記摺動溝内に摺動可能に嵌め入れられ、親骨本体に対し親骨把持部が進退し親骨が伸縮する構成とした請求項１記載の伸縮可能な扇子。
【請求項４】
前記親骨本体の摺動溝の下部に狭窄部を設けると共に、前記親骨把持部の先端には前記狭窄部に係止する係止部を設け、また、親骨把持部の下部には親骨本体の下端に当接する係止用段部を設け、親骨本体に対し親骨把持部が進退できる範囲を、前記係止部と係止用段部で規制する請求項３記載の伸縮可能な扇子。
【請求項５】
前記親骨本体の摺動溝に、前記親骨把持部を嵌め入れ、前記扇面部材の側端のひだ部を前記摺動溝を覆って親骨本体に接着し、摺動溝とひだ部により摺動空間を作り、その中を前記親骨把持部が進退する請求項３又は４記載の伸縮可能な扇子
【考案の詳細な説明】
【技術分野】
【０００１】
本発明は、扇子の長さを伸縮し、携帯に便利とした伸縮可能な扇子に関するものである。
【背景技術】
【０００２】
扇子は古くから広く愛用されているが、最近の省エネ気運の高まりで扇子の使用が見直され、例えば室内の冷房温度の設定温度の引き上げ等に伴い涼しさを求めて補助的に扇子を使用する等使用する機会が多くなった。しかし、扇子の長さがポケットに収納できない長さであるため、ポケットから扇子が突出した状態で持ち運ぶことになり 、携帯するには不便でり、不格好であるという問題があった。
【０００３】
そこで、従来から、扇子の持ち運びがし易いように、折り畳んで扇子の長さを短くできるものが提案され、実公昭３９−１５４９７号公報（特許文献１）、及び、特開２００３−６１７２５号公報（特許文献２）がある。
【０００４】
【特許文献１】実公昭３９−１５４９７号公報
【特許文献２】特開２００３−６１７２５号公報
【考案の開示】
【考案が解決しようとする課題】
【０００５】
特許文献１の「折り畳み扇子」は、扇子の中央において上下の２つの部分に切断分割した形となし、親骨および子骨を各切断部において回転自在に接続して、扇子を２つに折り畳むことができるものが提案されている。しかし、扇子の長さは短くなるが幅が倍になり嵩張り、かつ、回転自在とした接続部分には親骨及び子骨に肉薄部・縦溝を設け、これに接合板・接続片を嵌合しカシメ鋲を用いて回転自在に接続するものであり、細かな細工が必要で構造も複雑となる。その上見栄えも悪いという欠点があった。
また、特許文献２の「縦方向折り畳み可能な扇子」は、折り曲げ可能な一枚のシートに横方向、縦方向に山折り、谷折りを一定の規則性をもとに実施し、横方向にも縦方向にも折り畳める構造としたものが提案されているが、竹製等の中骨、親骨を有する広く使用されている一般的な扇子には適用できない構造である。
【０００６】
本発明は、上記の問題点に鑑みて考案されたもので、扇子を使用するときは親骨把持部を親骨本体から引き出し親骨を伸ばし、同時に連動して扇面部材に設けた収納部から中骨を引き出し通常の扇子として使用し、また、親骨把持部と中骨の引き出す量を少なくして長さの短い小型の扇子として使用し、さらに、使用しない場合は、親骨本体内に親骨把持部を進入させ親骨を短かくし、同時に中骨を扇面部材の収納部の奥深くに進入させて、扇子の長さを短縮できるようにしたものである。
【課題を解決するための手段】
【０００７】
上記課題を解決するものは以下のものである。
（１）中骨を進退自在に収納する収納部を設けた扇面部材と、該扇面部材の両側に取り付けられる伸縮できる親骨と、両側の親骨の間に介在し前記扇面部材に設けた収納部に遊嵌される中骨とからなり、前記親骨と前記中骨の基端部を枢着した伸縮可能な扇子。
【０００８】
（２）前記扇面部材が、前面側扇面部材と背面側扇面部材とからなり、両者に設けられる山形折り目と谷形折り目の間のひだ部に、下端が開口した細長い中空部を形成して前面側扇面部材と背面側扇面部材を貼着し、両者の間に、前記中骨を進退自在に収納する収納部を設けた上記（１）に記載の伸縮可能な扇子。
【０００９】
（３）前記伸縮できる親骨が、上部の親骨本体と、下部の親骨把持部とからなり、前記親骨本体に摺動溝が穿設され、前記親骨把持部が前記摺動溝内に摺動可能に嵌め入れられ、親骨本体に対し親骨把持部が進退し親骨が伸縮する構成とした上記（１）記載の伸縮可能な扇子。
【００１０】
（４）前記親骨本体の摺動溝の下部に狭窄部を設けると共に、前記親骨把持部の先端には前記狭窄部に係止する係止部を設け、また、親骨把持部の下部には親骨本体の下端に当接する係止用段部を設け、親骨本体に対し親骨把持部が進退できる範囲を、前記係止部と係止用段部で規制する上記（３）に記載の伸縮可能な扇子。
【００１１】
（５）前記親骨本体の摺動溝に、前記親骨把持部を嵌め入れ、前記扇面部材の側端のひだ部を前記摺動溝を覆って親骨本体に接着し、摺動溝とひだ部により摺動空間を作り、その中を前記親骨把持部が進退する上記（３）又は（４）に記載の伸縮可能な扇子。
【考案の効果】
【００１２】
本考案の伸縮可能な扇子によれば、扇面部材に中骨を進退自在に収納する収納部が設けられ、伸縮できる親骨が扇面部材の両側に取り付けられ、また、両側の親骨の間に前記収納部に遊嵌される中骨が介在し、前記親骨と前記中骨を基端部で枢着した構成であるから、前記親骨が伸縮でき、かつ、前記中骨が前記収納部に遊嵌されているので、扇子を使用するときは親骨を伸ばし、中骨を収納部から引き出すことにより通常の扇子と同様の形態の扇子として使用でき、また、親骨を伸ばす長さを少なくすると共に中骨の収納部から引き出す長さも少なくすれば、小型の扇子として使用でき、さらに、扇子を使用しないときは、親骨を短縮すると共に中骨を収納部の奥くへ進入させることにより、簡単に扇子の長さを短くすることができるので、ポケット等に入れ易くなり携帯に便利となる。また、扇子を使用する場合の外観は通常の扇子と殆ど変わらないので体裁もよい。
【００１３】
本考案の伸縮可能な扇子によれば、前記扇面部材が前面側扇面部材と背面側扇面部材とからなり、両者に設けられる山形折り目と谷形折り目の間のひだ部に、下端が開口した細長い中空部を形成するように、中空部には接着剤を塗布しないで、前面側扇面部材と背面側扇面部材が貼着され、両者の間に前記中骨を進退自在に収納する収納部が特別な部材を使用することなく極めて簡単に作られ、かつ、従来の扇子を作る方法とほぼ同様の方法で製造することができる。
【００１４】
本考案の伸縮可能な扇子によれば、前記伸縮できる親骨は、上部の親骨本体と、下部の親骨把持部とからなり、前記親骨本体に摺動溝が穿設され、該摺動溝に前記親骨把持部が摺動可能に嵌め入れられ、親骨本体に対し親骨把持部が進退して親骨が伸縮する構成となっているので、伸縮させる構造が簡単であり、従来の扇子と殆ど外観が変わりなく体裁のよい伸縮できる扇子となる。
【００１５】
本考案の伸縮可能な扇子によれば、前記親骨本体の摺動溝の下部に狭窄部を設け、一方、前記親骨把持部には先端に前記狭窄部に係止する係止部を設け、また、親骨把持部の下部には親骨本体の下端に当接する係止用段部を設け、親骨本体に対し親骨把持部を進退させる範囲を、前記係止部と係止用段部で規制した構造としたので、扇子を使用する状態にする場合、前記摺動溝の狭窄部に係止部が係止して親骨本体から親骨把持部を引き出す長さが自動的に規制され使い勝手がよい。また、使用しない場合は、係止段部が親骨本体の下端に当接するまで親骨把持部を押し入れ進入させることにより、扇子を携帯用の所定のサイズにすることが容易にできる。
【００１６】
本考案の伸縮可能な扇子によれば、前記親骨本体の摺動溝に、前記親骨把持部を嵌め入れた後、前記扇面部材の側端のひだ部で前記摺動溝を蓋するように覆って親骨本体に接着するので、摺動溝とひだ部により摺動空間が作られ、その中を前記親骨把持部が進退する構成であるから、親骨本体から親骨把持部が外れることはなく、親骨が伸縮する構造が簡単で製作が容易であり、また、伸縮する構造が外部から見えないので体裁がよい扇子となる。
【考案を実施するための最良の形態】
【００１７】
以下この考案の伸縮可能な扇子の実施の形態の一例について図面を参照して説明する。
図１は、本考案の伸縮可能な扇子を長く伸ばし展開し使用状態とした正面図、図２は、本考案の伸縮可能な扇子を長く伸ばし閉じた状態の正面図、図３は、本考案の伸縮可能な扇子を長く伸ばし閉じた状態の一部切欠側面図、図４は、本考案の伸縮可能な扇子を長く伸ばし展開した使用状態の要部の一部切欠正面図、図５は、図３のＡ−Ａ’横断面図、図６は、本考案の伸縮可能な扇子を閉じ短くした不使用状態の側面図、図７は、本考案の伸縮可能な扇子の親骨本体に対し親骨把持部を進退させる状態を示す説明図である。
【００１８】
本考案の伸縮可能な扇子は、図１〜図４に示すように、中骨４を進退自在に収納する複数の収納部３を設けた扇面部材１と、該扇面部材１の両側に取り付けられる２本の伸縮できる親骨２と、両側の親骨２、２の間に介在し前記扇面部材１に設けた収納部３に遊嵌される複数の中骨４とから構成され、前記伸縮する親骨２と中骨４は前記扇面部材１を展開できるよう基端部においてカシメ鋲１３により枢着されている。
【００１９】
前記扇面部材１は、図１、図４及び図５に示すように、後記する親骨本体２ａの長さとほぼ同じ幅の扇形の前面側扇面部材１ａと背面側扇面部材１ｂとからなり、紙製又は樹脂シート製等で、山形折り目５と谷形折り目６が設けられ、ひだ部７が重なって折り畳みができるように蛇腹状になっている。この多数の山形折り目５と谷形折り目６との間のひだ部７において、山形の一方の斜面の各ひだ部７に収納部３が形成されている。収納部３は下端が開口し中骨４が遊嵌できる中骨４より若干幅が広く、かつ、中骨４が奥深くまで進入できるように扇面部材１の上端近くまで延びた細長い中空部であり、この中空部には接着剤を塗布しないで、その他の部分の前面側扇面部材１ａと背面側扇面部材１ｂに接着剤を塗布し両者を貼着することにより、両者の間に中空状の収納部３が形成される。
【００２０】
前記伸縮する親骨２は、図５〜図７に示すように、上部の親骨本体２ａと、下部の親骨把持部２ｂとからなり、前記親骨本体２ａの内側に前記親骨把持部２ｂが自在に摺動できる幅の摺動溝８が穿設され、親骨把持部２ｂが奥深くまで進入できるように親骨本体２ａの先端部分近くまで細長い摺動溝８が設けられ、その摺動溝８の下端には狭窄部９が設けられている。そして、前記親骨把持部２ｂの先端には該把持部２ｂよりも幅広に形成された係止部１０が設けられ、前記狭窄部９で係止され、親骨本体２ａから親骨把持部２ｂを引き出すとき、親骨把持部２ｂが抜けないようになっている。
また、親骨把持部２ｂの下部には係止用段部１１が設けられ扇子を短くするとき、親骨本体１ａの下端に当接し親骨本体２ａに対し親骨把持部２ｂが進退できる範囲が規制され、扇子が所定のサイズになるよう設定されている。
【００２１】
中骨４は、前記収納部内を進退し扇子の長さを調節する構造であるから、通常の扇子より中骨の長さは短く、扇子を縮小したとき中骨４が収納部３の上端を突き抜けない長さになっている。また、中骨４の下部には前記親骨把持部２ｂの係止用段部に合わせて段部１２が設けられ外観をよくしているが、この段部１２は扇子を短くしたとき扇面部材の下端に当接しないようにしてもよく、又は、当接するようにしてもよい。
【００２２】
前記親骨本体２ａは、これに設けた摺動溝８に親骨把持部２ｂを嵌め入れた後、前記摺動溝８を覆うように摺動溝８の周縁に接着剤を塗布し、前記扇面部材１の側端のひだ部７を接着し、摺動溝８がひだ部７で蓋をされるように覆われ、摺動空間が構成されるので、親骨本体２ａに対し親骨把持部２ｂが進退しても親骨本体２ａの摺動溝８から外れることがなく伸縮が自在にでき、さらに、親骨２が伸縮する構造が外部からは見えないようになっている。
【００２３】
上記構成としたので、扇子を使用するときは、親骨本体から親骨把持部を狭窄部に係止部が係止するまで引き出し、これに連動して扇面部材に設けた収納部から中骨も引き出すと、通常の扇子と同様に使用できる。また、親骨本体から親骨把持部を引き出す長さを少なくし、合わせて収納部から引き出す中骨の長さも少なくすると、親骨本体から露出する親骨把持部、及び、扇面部材から中骨が露出する部分が少ない小型の扇子として使用することができる。
そして、扇子を使用しない場合は、親骨本体の摺動溝の奥深くに親骨把持部を押し入れるようにして親骨把持部の下部に設けた係止用段部が親骨本体の下端に当接するまで進入させ、これと連動して扇面部材１に設けた収納部３の奥深くに中骨４も進入させると、扇子の長さは３分の２程度の長さに短縮される。
【００２４】
本考案の伸縮可能な扇子によれば、使用するときは、通常の扇子として使用でき、引き出す長さを短くすれば小型の扇子として使用でき、使用しないときは親骨把持部を親骨本体内に、中骨を収納部に進入させることにより、長さが短くなり、ポケット等に入れて携帯し易い大きさになり持ち運びが便利である。また、扇子が伸縮する構造が外部からは見えないので、通常の扇子とほぼ同じ形態であって伸縮できるので体裁がよい。
【００２５】
以上この考案の実施の形態の一例について説明したが、この考案はこうした実施の形態のものに何等限定されず、この考案の要旨を逸脱しない範囲において種々なる形態で実施しうることは勿論である。
【図面の簡単な説明】
【００２６】
【図１】本考案の伸縮可能な扇子を長く伸ばし展開し使用状態とした正面図である。
【図２】本考案の伸縮可能な扇子を長く伸ばし閉じた状態の正面図である。
【図３】本考案の伸縮可能な扇子を長く伸ばし閉じた状態の一部切欠側面図である。
【図４】本考案の伸縮可能な扇子を長く伸ばし展開した使用状態の要部の一部切欠正面図である。
【図５】図３のＡ−Ａ’横断面図である。
【図６】本考案の伸縮可能な扇子を閉じ短くした不使用状態の側面図である。
【図７】本考案の伸縮可能な扇子の親骨本体に対し親骨把持部を進退させた状態を示す側面図である。
【符号の説明】
【００２７】
１    扇面部材
１ａ  前面側扇面部材
１ｂ  背面側扇面部材
２    伸縮する親骨
２ａ  親骨本体
２ｂ  親骨把持部
３    収納部
４    中骨
５    山形折り目
６    谷形折り目
７    ひだ部
８    摺動溝
９    狭窄部
１０  係止部
１１  係止用段部
【図１】
0003122371.tif 000003
【図２】
0003122371.tif 000004
【図３】
0003122371.tif 000005
【図４】
0003122371.tif 000006
【図５】
0003122371.tif 000007
【図６】
0003122371.tif 000008
【図７】
0003122371.tif 000009